(57)【特許請求の範囲】
【請求項１】
ロータに設けた支持アームの先端側に、支持部材を釣糸巻取り位置と釣糸放出位置とに反転可能に装着した魚釣用スピニングリールに於て、
上記支持アームに、支持部材の支持部を設けたカバー部材を装着し、当該支持部に支持部材の基部を軸着して支持部材を釣糸巻取り位置と釣糸放出位置とに反転可能に装着すると共に、支持部材の基部を、上記支持アームから外方へ突出しない肉厚を以って形成したことを特徴とする魚釣用スピニングリール。
【発明の詳細な説明】
【０００１】
【発明の属する技術分野】
本発明は魚釣操作時に於ける糸絡みの防止を図り、併せてリール全体を大型化することなくスプールの大口径化を可能とした魚釣用スピニングリールに関する。
【０００２】
【従来の技術】
実公平４−４３０１７号公報または図９に示すように、従来、多くの魚釣用スピニングリール１は、ロータ３に設けた一対の支持アーム５の先端部に、半環状のベール７がベール支持部材９，１１を介して取り付けられており、ベール支持部材９，１１は、支持アーム５の収容部１３内に装着した反転制御装置１５によって釣糸巻取り位置と釣糸放出位置に夫々振分け保持されている。
【０００３】
そして、ベール７を釣糸放出位置へ倒して仕掛けを投擲すると、スプール１７に巻回された釣糸がスパイラル状に繰り出され、また、ベール７を釣糸巻取り位置へ反転させて、ハンドル１９の操作でロータ３を釣糸巻取り方向へ回転させると、ロータ３の回転に連動して前後方向へ往復動するスプール１７に釣糸が巻回されるようになっている。
【０００４】
しかし、図示するように上記スピニングリール１にあっては、ベール支持部材９，１１が、収容部１３を覆うカバー２１から外方へ大きく突出して支持アーム５に軸着されているため、ベール支持部材９，１１を含む支持アーム５全体の厚みが増して大型化してしまうと共に、魚釣操作中に釣糸がベール支持部材９，１１に絡まってしまう虞があった。
【０００５】
また、実開平３−７４２５９号公報には、図１０に示すようにロータ２３に設けた支持アーム２５の前周部に夫々嵌合溝２７を形成し、当該嵌合溝２７にベール支持部材２９，３１を嵌合してこれらを反転自在に軸支すると共に、ベール支持部材２９，３１と支持アーム２５との結合部に於ける夫々の外側面を段差の少ない面に形成したスピニングリール３３が開示されている。
【０００６】
而して、斯かるスピニングリール３３によれば、支持アーム２５とベール支持部材２９，３１との結合部の外周が略面一となるため、図９のスピニングリール１の如き糸絡みの問題は解消されることとなった。
【０００７】
【発明が解決しようとする課題】
しかし乍ら、このスピニングリール３３にあっては、ベール支持部材２９，３１を嵌合させる嵌合溝２７を支持アーム２５の前周部に設ける構造上、支持アーム２５自体の厚みが増して、支持アーム２５の外幅寸法Ｌが大きくなってしまう欠点が指摘されている。
【０００８】
このため、一般にこの種のスピニングリールにあっては、スプールを大口径化することによって糸ぐせが付き難くサミング操作がし易くなる等の利点を有するが、斯様に支持アーム２５自体が大型化したスピニングリール３３に於てスプール３５の大口径化を図ると、これに伴うロータの大型化によって支持アームがより一層大型化し、この結果、リール全体が大型，重量化して操作性が悪くなってしまう不具合が指摘されている。
【０００９】
本発明は斯かる実情に鑑み案出されたもので、魚釣操作時の糸絡みをなくして、魚釣り操作性の向上を図った魚釣用スピニングリールを提供することを目的とする。
【００１０】
【課題を解決するための手段】
斯かる目的を達成するため、請求項１に係る発明は、ロータに設けた支持アームの先端側に、支持部材を釣糸巻取り位置と釣糸放出位置とに反転可能に装着した魚釣用スピニングリールに於て、上記支持アームに、支持部材の支持部を設けたカバー部材を装着し、当該支持部に支持部材の基部を軸着して支持部材を釣糸巻取り位置と釣糸放出位置とに反転可能に装着すると共に、支持部材の基部を、上記支持アームから外方へ突出しない肉厚を以って形成したことを特徴とする。
【００１２】
（作用）
請求項１に係る発明によれば、支持アームに取り付く支持部材が釣糸巻取り位置と釣糸放出位置とに反転し、そして、支持部材を釣糸巻取り位置にセットして、ハンドルの操作でロータを釣糸巻取り方向へ回転させると、ロータの回転に連動して前後に往復動するスプールに釣糸が巻回されるが、支持部材の基部が、支持アームから外方へ突出しない肉厚を以って形成されているため、支持アーム外方への突出物がなくなり、釣糸の糸絡みが防止されることとなる。
【００１３】
【発明の実施の形態】
以下、本発明の実施形態を図面に基づき詳細に説明する。
図１は請求項１の第一実施形態に係るスピニングリールに装着されるロータとスプールの要部切欠き平面図を示し、図に於て、３７は図示しないリール本体の前端に回転可能に装着されるロータで、当該ロータ３７には、これと一体に一対の支持アーム３９，４１がリール本体の前後方向に形成されている。そして、支持アーム３９，４１の先端部に、ベール支持部材（以下、「支持部材」という）４３，４５が釣糸巻取り位置と釣糸放出位置とに反転可能に取り付き、両支持部材４３，４５間に図示しない半環状のベールが装着されている。
【００１４】
また、リール本体には、上記ロータ３７と同軸上にスプール４７が装着されており、当該スプール４７は、リール本体にトラバース運動可能に取り付くスプール軸に回転可能に支持されている。そして、スプール４７とスプール軸は、スプール４７に内蔵したドラグ装置によって摩擦結合されており、そのドラグ力は、スプール４７の前端部に装着したノブの操作で任意に調節できるようになっている。
【００１５】
更にまた、従来と同様、リール本体には釣糸巻取用のハンドルが装着されており、ハンドルの回転軸とロータ３７はリール本体内に設けた周知のギヤ機構を介して連繋され、スプール軸とハンドルの回転軸は周知のトラバース機構によって連繋されている。
そして、上述した支持部材４３，４５は、図２に示すように支持アーム３９に装着した振分け付勢装置４９によって、図２の実線で示す釣糸巻取り位置と二点鎖線で示す釣糸放出位置とに振り分け保持され、また、釣糸放出位置にある支持部材４３，４５は、支持アーム４１に装着した従来周知の復帰装置によって釣糸巻取り位置へ反転復帰するようになっている。そして、ベールを釣糸巻取り位置へ反転させた後、ハンドルの操作でロータ３７を釣糸巻取り方向へ回転させると、ロータ３７の回転に連動してトラバース運動するスプール４７に釣糸が巻回されるようになっている。
【００１６】
而して、本実施形態に係るスピニングリールは、上述の如き従来と同様の構成に加え、以下の如き特徴を有する。
図２は支持部材４３の取付構造と振分け付勢装置４９の詳細を示し、図中、５１は振分け付勢装置４９が収容，装着された凹状の収容部で、当該収容部５１は、支持アーム３９の周縁部に沿って立設した周壁５３に囲繞されて形成されており、支持アーム３９の先端側の周壁５３には支持部材４３の反転領域に亘って切欠き５５が設けられている。
【００１７】
そして、図１に示すように上記収容部５１全体を覆ってカバー５７が取り付けられており、カバー５７の先端側内面に突設した円筒状の支持軸（支持部）５９を、支持アーム３９側に設けた係合孔６１に係合してこれにスクリュー６３をねじ込むことで、支持アーム３９全体にカバー５７が螺着されている。
而して、本実施形態は、支持アーム３９の先端側の周壁５３に設けた切欠き５５に支持部材４３の基部４３ａを挿通してこれを支持軸５９に軸着するに当たり、基部４３ａを上記切欠き５５を挿通し且つ支持アーム３９の幅（収容部５１）から外方へ突出しない薄肉な厚さを以って扁平状に成形したもので、斯様に基部４３ａを成形することで支持アーム３９自体の薄肉化を図ると共に、当該基部４３ａをカバー５７で覆って支持アーム３９表面の突出物をなくし、糸絡みの防止を図っている。
【００１８】
図２は振分け付勢装置４９の詳細を示し、図中、６５は支持部材４３の基部４３ａに先端が係合ピン６７を介して回動可能に連結されたストッパで、当該ストッパ６５の後部は、収容部５１の基端部に先端方向に向け一側に偏寄して設けられたコイルスプリング６９先端に装着されて、当該コイルスプリング６９のバネ力で支持部材４３を常時付勢している。
【００１９】
そして、支持部材４３の基部４３ａの外周には、支持軸５９を挟んでストッパ６５との連結部の略反対側に段部７１が形成されると共に、周壁５３には支持軸５９に向かってストッパ片７３が突設されている。そして、支持部材４３が実線で示す釣糸巻取り位置にあるとき、ストッパ６５により反時計回りに付勢された基部４３ａの段部７１がストッパ片７３に圧接されて、支持部材４３が位置決め保持されるようになっている。そして、切欠き５５に沿って支持部材４３が二点鎖線で示す釣糸放出位置に反転されると、コイルスプリング６９の偏寄作用でストッパ６５が基部４３ａとの連結部をストッパ片７３に押圧して、支持部材４３を釣糸放出位置に位置決め保持するようになっている。
【００２０】
また、支持部材４３が釣糸巻取り位置にあるとき、支持部材４３の周壁５３に設けた切欠き５５を閉塞する閉塞部材７５がストッパ６５に設けられている。
閉塞部材７５はストッパ６５に一体成形された平板形状をなし、図２に示すように支持部材４３が釣糸巻取り位置にあるとき、周壁５３に設けた切欠き５５を閉塞して異物の侵入を防止するようになっており、図２の二点鎖線で示すように切欠き５５に沿って支持部材４３が釣糸放出位置へ反転すると、切欠き５５を開口させるようになっている。
【００２１】
尚、支持アーム４１側にも、支持アーム３９側と同様、切欠きを有する周壁で囲繞された収容部が形成されると共に、当該収容部を覆ってカバー７７が取り付けられている。
そして、支持部材４５の基部が当該カバー７７に突設した図示しない支持軸に軸着されて、支持部材４５が切欠きに沿って釣糸巻取り位置と釣糸放出位置とに反転可能に取り付くと共に、従来周知の図示しない復帰装置が収容部内に収容されているが、支持部材４３の基部４３ａと同様、支持部材４５の基部は支持アーム４１の幅（収容部）から外方へ突出しない薄肉な厚さを以って扁平状に成形されており、斯様に支持部材４５の基部を成形することで、支持アーム４１自体の薄肉化を図ると共に、当該基部をカバー７７で覆って支持アーム４１表面の突出物をなくし、糸絡みの防止を図っている。
【００２２】
更にまた、本実施形態は、上述した構成に加え、ロータ３７に設けた支持アーム３９，４１の外幅寸法を従来のスピニングリールと同一寸法とすると共に、この外幅寸法に対し、スプール４７の前側鍔部４７ａの外径寸法の比率を７０％に設定してスプール４７の大口径化を図ると共に、スプール４７の釣糸巻回胴部４７ｂを、スプール軸方向前方に向かって順次大径となるテーパ状（逆テーパ）に成形し、前側鍔部４７ａの外径寸法Ａに対する釣糸巻回胴部４７ｂの先端部の外径寸法Ｂの比率（Ｂ／Ａ）を０．２〜０．９に設定して深溝タイプとしたことを特徴とする。
【００２３】
このように本実施形態は、支持部材４３，４５の基部４３ａを、夫々、支持アーム３９，４１の幅から外方へ突出しない薄肉な扁平状に成形して、これをカバー５７，７７側に設けた支持軸５９に軸着することで支持アーム３９，４１自体の薄肉化を図り、そして、当該支持アーム３９，４１の外幅寸法を従来のスピニングリールと同一寸法とすると共に、この外幅寸法に対するスプール４７の前側鍔部４７ａの外径寸法の比率を７０％に設定してスプール４７の大口径化を図り、且つ各基部４３ａを夫々カバー５７，７７で覆ったので、釣糸が支持部材４３，４５に絡まることなく速い糸巻速度でスプール４７に巻き取られることとなる。
【００２４】
従って、本実施形態によれば、糸絡みを防止して操作性を向上させることができると共に、支持アーム３９，４１の薄肉化によってスプール４７の大口径化が可能となるため糸巻速度が速まり、また、糸ぐせがつき難くなってサミング操作がし易くなる利点を有する。
更にまた、本実施形態によれば、スプール４７を深溝タイプとして逆テーパ形状としたため、前側鍔部４７ａの外径寸法Ａに対に対して釣糸を１００％巻回しても、釣糸の放出時に釣糸の糸崩れが発生することがなく、十分な糸巻量を確保することができるし、切欠き５５を閉塞する閉塞部材７５によって収容部５１内への異物の侵入を防止することができるので、使用環境の厳しい釣り場に於ても安心して使用することができる等の利点を有する。
【００２５】
図３は請求項１の第二実施形態に係るスピニングリールに装着するロータとスプールの要部切欠き平面図を示し、図示するように本実施形態は、上記スプール４７に代え、スプール７９の前側鍔部７９ａの外径寸法Ｃを後側鍔部７９ｂの外径寸法Ｄよりも大きくすると共に、釣糸巻回胴部７９ｃを略ストレート形状として、前側鍔部７９ａの外径寸法Ｃに対する釣糸巻回胴部７９ｃの外径寸法Ｅの比率（Ｅ／Ｃ）を０．２〜０．９に設定したもので、その他の構成は図１の実施形態と同一であるので、同一のものには同一符号を付してそれらの説明は省略する。
【００２６】
而して、本実施形態によっても、糸絡みを防止して操作性を向上させることができると共に、支持アーム３９，４１自体の薄肉化を図ってスプール７９の大口径化が可能となるが、斯かる効果に加え、本実施形態によれば、釣糸巻回胴部７９ｃに釣糸を後鍔７９ｂの外径寸法Ｄと同程度巻回しても、スプール７９の前側鍔部７９ａの方が後側鍔部７９ｂより大きいために、釣糸がばらけることなく魚釣操作が行える利点を有するし、また、釣糸が大口径に巻回できるので、糸ぐせや糸よれ等の影響を極力防止することが可能である。
【００２７】
図４は請求項１の第三実施形態に係るスピニングリールに装着するロータの要部断面図を示し、図中、８１は支持アーム、８３は当該支持アーム８１の表面側にスクリュー８５を介して取り付くカバーで、本実施形態は、カバー８３に比し支持アーム８１を短く成形して、カバー８３の先端側の内面８３ａに支持部材８７の基部８７ａを軸着する円筒状の支持軸（支持部）８９を設けると共に、魚釣操作時に於ける糸絡みを防止するため、支持部材８７の基部８７ａを支持アーム８１との間に段差のない肉厚に成形して、当該基部８７ａを上記支持軸８９にスクリュー９１を介して軸着したもので、基部８７ａと支持アーム８１は面一となっている。
【００２８】
そして、図１の実施形態と同様、支持アーム８１には、その周縁部に沿って周壁が立設されて収容部９２が形成されており、支持部材８７は支持アーム８１の先端側の周壁に設けた切欠きに沿って釣糸巻取り位置と釣糸放出位置とに反転するようになっている。
尚、その他の構成は図１に示す実施形態と同様であるため、同一のものには同一符号を付してそれらの説明は省略する。
【００２９】
而して、本実施形態によっても、魚釣操作時に於ける糸絡みの防止が可能となると共に、ロータ及びリール本体を大型化することなくスプールの大口径化が可能となる。
図５は請求項１の第四実施形態に係るスピニングリールに装着するロータの要部断面図を示し、図４に示す実施形態と同様、本実施形態も支持アーム９５に設けた収容部９６を覆うカバー９３に比し当該支持アーム９５を短く成形して、カバー９３の先端側の内面９３ａに支持部材４３の基部４３ａを軸着する筒状の支持軸９７を設けると共に、当該基部４３ａを支持アーム９５との間に段差のない肉厚に成形したものであるが、本実施形態は上記スクリュー９１に代えて、ピン９９で支持部材４３を釣糸巻取り位置と釣糸放出位置とに反転可能に取り付けたものである。
【００３０】
そして、本実施形態に於ても、基部４３ａは支持アーム９５の先端側の周壁に設けた切欠きを挿通している。
即ち、上記支持軸９７にはピン挿入孔１０１が形成されている。そして、基部４３ａの裏面には、ピン９９の挿入側先端部にリテイナ１０３を装着させる切欠き１０５が成形されており、カバー９３の表面側からピン９９をピン挿入孔１１０に挿入してその挿入側先端部にリテイナ１０３を装着することで、支持部材４３が、支持アーム９５の先端側の周壁に設けた切欠きに沿って釣糸巻取り位置と釣糸放出位置とに反転可能に取り付けられている。
【００３１】
また、図６は請求項１の第五実施形態に係るスピニングリールに装着するロータの要部断面図を示し、本実施形態は図４の変形例で、支持部材４３の基部４３ａを支持アーム８１から外方へ突出しない肉厚を以って成形すると共に、支持軸８９に支持部材４３を軸着するスクリュー１０７の頭部１０７ａを大径として、当該頭部１０７ａで支持部材４３の抜止めを図ったもので、本実施形態に於ても、基部４３ａは支持アーム８１先端側の周壁に設けた切欠きを挿通して、支持部材４３が当該切欠きに沿って釣糸巻取り位置と釣糸放出位置とに反転可能とされている。
【００３２】
図５及び図６の実施形態はこのように構成されており、これらの実施形態によっても、上記各実施形態と同様、所期の目的を達成することが可能である。
図７は請求項１の第六実施形態に係るスピニングリールに装着するロータの要部断面図を示し、図１の実施形態では、支持軸５９を突設したカバー５７を支持アーム３９の表面側全体に取り付けたが、本実施形態は、支持アーム１０９の周縁部に立設した周壁で支持アーム１０９の内側に凹状の収容部１１１を設け、そして、当該収容部１１１全体をカバー５７で覆って、カバー５７に設けた支持軸５９に支持部材４３の基部４３ａを軸着することで、支持部材４３を支持アーム１０９の先端側の周壁に設けた切欠きに沿って釣糸巻取り位置と釣糸放出位置とに反転可能に取り付けたものである。
【００３３】
また、図８は請求項１の第七実施形態に係るスピニングリールに装着するロータの要部断面図を示し、図４の実施形態では、支持軸８９を突設したカバー８３を支持アーム８１の表面側に取り付けたが、本実施形態は、支持アーム１１３の内側にカバー８３を装着し、そして、当該支持アーム１１３をカバー８３よりも短く形成すると共に、支持部材８７の基部８７ａを、支持アーム１１３との間に段差のない肉厚に成形して、カバー８３に設けた支持軸８９に支持部材８７を釣糸巻取り位置と釣糸放出位置とに反転可能に取り付けたもので、本実施形態に於ても、基部８７ａは支持アーム１１３先端側の周壁に設けた切欠きを挿通して、支持部材８７が当該切欠きに沿って釣糸巻取り位置と釣糸放出位置とに反転可能とされている。
【００３４】
而して、これらの各実施形態によっても、魚釣操作時に於ける糸絡みの防止が可能となると共に、ロータ及びリール本体を大型化することなくスプールの大口径化が可能である。
【００４０】
尚、既述した各実施形態の如くベールを装着したこの種のスピニングリールにあっては、支持アームに支持部材が装着されるが、従来、ベールを装着しないスピニングリールも多く存在する。
【００４１】
そして、このような魚釣用スピニングリールでは、上記支持部材に相当する支持部材が支持アームに取り付けられてラインローラが装着されるが、本発明はこのような構造のスピニングリールにも適用できるものである。
又、上記各実施形態では、ロータの支持アームの外幅寸法に対するスプールの前鍔の外径寸法の比率を７０％に設定したが、支持アームの薄肉化を図った本発明によれば、この比率を６０％から８０％の間に設定することが可能である。
【００４２】
【発明の効果】
以上述べたように、請求項１に係るスピニングリールによれば、支持アーム外方への突出物をなくして魚釣操作時の糸絡みを防止したので、従来に比し魚釣り操作性が一段と向上することとなった。
【図面の簡単な説明】
【図１】請求項１の第一実施形態に係るスピニングリールに装着するロータとスプールの要部切欠き平面図である。
【図２】図１に示すロータの要部切欠き側面図である。
【図３】請求項１の第二実施形態に係るスピニングリールに装着するロータとスプールの要部切欠き平面図である。
【図４】請求項１の第三実施形態に係るスピニングリールに装着するロータの要部断面図である。
【図５】請求項１の第四実施形態に係るスピニングリールに装着するロータの要部断面図である。
【図６】請求項１の第五実施形態に係るスピニングリールに装着するロータの要部断面図である。
【図７】請求項１の第六実施形態に係るスピニングリールに装着するロータの要部断面図である。
【図８】請求項１の第七実施形態に係るスピニングリールに装着するロータの要部断面図である。
【図９】従来のスピニングリールの要部切欠き側面図である。
【図１０】従来の他のスピニングリールの要部切欠き側面図である。
【符号の説明】
３９，４１，８１，９５，１０９，１１３  支持アーム
４３，４５，８７  支持部材
４３ａ，８７ａ  基部
４７，７９  スプール
５１，９２，９６，１１１  収容部
５３  周壁
５５  切欠き
５７，７７，８３，９３  カバー
５９，８９，９７  支持軸
【図１】
0003600571.tif 000002
【図２】
0003600571.tif 000003
【図３】
0003600571.tif 000004
【図４】
0003600571.tif 000005
【図５】
0003600571.tif 000006
【図６】
0003600571.tif 000007
【図７】
0003600571.tif 000008
【図８】
0003600571.tif 000009
【図９】
0003600571.tif 000010
【図１０】
0003600571.tif 000011